(57)【要約】      （修正有）【課題】ＬＡＮコネクタ構造に関し、特に、係合構造の改良によって、コネクタ本体に係合構造を簡単で切替え可能に取付けることができるとともに、様々なＬＣ型コネクタまたはＲＪ型コネクタに適用可能なＬＡＮコネクタ構造を提供する。【解決手段】ＬＡＮコネクタ構造は、コネクタ本体１０と、係合構造２０とを含み、コネクタ本体が、１本のケーブルを覆う。係合構造がコネクタ本体に設置され、抜き防止部とロック部とを含み、ＬＡＮコネクタ構造がＬＡＮポート３００に挿し込まれると、係合機構の抜き防止部がＬＡＮポートに隠され、当接部の当接面はＬＡＮポートの凸起に当接することで、ＬＡＮコネクタ構造をＬＡＮポートから抜くことができないようになっている。ロック部は係合構造をコネクタ本体に着脱可能に設置し、実用上に容易に切り替えることができる。【選択図】図２
0003197034.tif 000002
【実用新案登録請求の範囲】
【請求項１】
ケーブルを覆うコネクタ本体と、
前記コネクタ本体に設置され、抜き防止部とロック部とを有し、前記抜き防止部の先端は当接部であってかつ弾性アームが接続され、前記弾性アームの前記当接部との逆方向の一端が押圧部であり、前記ロック部は門字状構造である係合構造とを含み、
ＬＡＮポートに挿し込まれると、前記係合構造の抜き防止部が前記ＬＡＮポートに隠され、前記当接部の当接面は前記ＬＡＮポートの凸起に当接することで、前記ＬＡＮポートから抜くことができないようになっていることを特徴とする、
ＬＡＮコネクタ構造。
【請求項２】
前記係合構造は、平板部材をさらに有し、前記抜き防止部が前記平板部材に設けられ、前記弾性アームは前記平板部材に接続し当該ＬＡＮポートに離間する方向に延出されることを特徴とする請求項１記載のＬＡＮコネクタ構造。
【請求項３】
前記押圧部が前記弾性アームの前記ＬＡＮポートに離間する方向の一端に設けられ、前記当接部の一端が前記弾性アームに弾性的に接続され、他端が前記ロック部に接続されることを特徴とする請求項１記載のＬＡＮコネクタ構造。
【請求項４】
前記ロック部は、２枚の側板と、１枚の横板と、２つのＬ字部と、２つのストッパとをさらに含み、前記横板が前記側板の間に設けられるとともに前記側板に接続して門字状になり、前記横板が前記抜き防止部に接続され、前記Ｌ字部が前記側板に接続され、前記Ｌ字部と前記ストッパとで前記係合構造を前記コネクタ本体に係合し、前記係合構造を前記コネクタ本体に着脱可能に固定させることを特徴とする請求項１記載のＬＡＮコネクタ構造。
【請求項５】
前記コネクタ本体は、凸部と、ストッパ部と、鈎部とをさらに含み、前記凸部は前記コネクタ本体の先端に設けられ、前記ストッパ部と前記鈎部とが前記コネクタ本体に設けられることを特徴とする請求項１または４に記載のＬＡＮコネクタ構造。
【請求項６】
前記係合構造が前記コネクタ本体に係合され、前記係合構造のストッパが前記コネクタ本体のストッパ部に当接し、前記係合構造のＬ字部が前記コネクタ本体の鈎部に係止され、前記係合構造と前記コネクタ本体とを固定することを特徴とする請求項５記載のＬＡＮコネクタ構造。
【請求項７】
前記係合構造が前記コネクタ本体に係合され、前記コネクタ本体の凸部が前記係合構造の当接部を当接し、前記コネクタ本体のストッパ部が前記係合構造のストッパを受け止ることを特徴とする請求項６記載のＬＡＮコネクタ構造。
【請求項８】
前記抜き防止部は、前記当接部の上方に設けられた突起部をさらに含むことを特徴とする請求項１記載のＬＡＮコネクタ構造。
【請求項９】
前記係合構造は、前記押圧部に対応する開口をさらに有し、前記開口は前記抜き防止部と前記ロック部との間に設けられるとともに前記押圧部の下に位置され、前記押圧部を下へ移動する時に、前記開口内に受容させることを特徴とする請求項１記載のＬＡＮコネクタ構造。
【考案の詳細な説明】
【技術分野】
【０００１】
本考案は、ＬＡＮコネクタ構造に関し、特に、係合構造の改良によって、コネクタ本体に係合構造を簡単で切替え可能に取付けることができるとともに、様々なＬＣ型コネクタまたはＲＪ型コネクタに適用可能な係合構造に関する。
【背景技術】
【０００２】
従来のＬＡＮコネクタ構造の構成は、一般に係止爪を有し、従来のＬＡＮコネクタがＬＡＮポートに挿し込まれると、係止爪がＬＡＮポートの差込口内の凸部に係合し、ＬＡＮポートからＬＡＮコネクタを抜きたい時には、係止爪を下方へ押圧して係止爪と凸部との係合を解除すれば、ＬＡＮコネクタをＬＡＮポートから抜くことができる。
【０００３】
図１を参照する。従来技術のＬＡＮコネクタ構造４０は、単一の構造であってかつ一体成形されている。従来技術のＬＡＮコネクタ構造４０が使用される際に、該従来技術のＬＡＮコネクタ構造４０の抜き防止部は、ＬＡＮコネクタの経時的な挿抜により、抜き防止部が弾性疲労し、抜き防止部にＬＡＮポートの凸部との当接機能を失わせてしまい、或いは、ある長い間で使用した後、抜き防止部の使い過ぎで割れてしまい、同様にＬＡＮポートの凸部との当接機能を失うことになる。また、弾性疲労または弾性アームが割れたＬＡＮコネクタ構造は全体を新しいＬＡＮコネクタ構造に切り替えなければならず、時間がかかるだけでなく、コストも高く、必要でない部品と時間の浪費をもたらす。
【考案の概要】
【考案が解決しょうとする課題】
【０００４】
以上に鑑みて、本考案は、係合構造が設けられ、ＬＡＮコネクタがＬＡＮポートに挿し込まれると、抜き防止部はＬＡＮポートに隠されることになり、弾性アームを押圧する押圧部でなければ抜き防止部とＬＡＮポートとの係合を解除できず、さらに、該係合構造がコネクタ本体に着脱可能に組み立てられ、弾性アームが割れると取り外して取り替えることができ、或いは、弾性疲労時に、工具で本来の既に弾性疲労した弾性アームを抜き防止部とともに切り落として、本考案の新しいＬＡＮコネクタの係合構造と切替して、必要でない本体交換及びコストを無駄にするようなＬＡＮコネクタ全体の交換が必要のないＬＡＮコネクタ構造を提供することを目的とする。
【課題を解決するための手段】
【０００５】
前記目的を達成するために、本考案のＬＡＮコネクタ構造は、コネクタ本体と、係合構造とを含み、前記コネクタ本体が、接続される１本のケーブルを覆う。前記係合構造が前記コネクタ本体に設置され、抜き防止部とロック部とを含み、前記抜き防止部の先端は当接部であってかつ弾性アームが接続され、前記弾性アームの前記当接部との逆方向の一端が押圧部であり、前記ロック部は門字状構造である。ここで、前記ＬＡＮコネクタ構造がＬＡＮポートに挿し込まれると、前記係合機構の抜き防止部が前記ＬＡＮポートに隠され、前記当接部の当接面は前記ＬＡＮポートの凸起に当接することで、前記ＬＡＮコネクタ構造を前記ＬＡＮポートから抜くことができないようになっている。
【０００６】
ここで、前記係合構造は、平板部材をさらに有し、前記抜き防止部が前記平板部材に設けられ、前記弾性アームは前記平板部材に接続し当該ＬＡＮポートに離間する方向に延出される。本考案のＬＡＮコネクタ構造の係合構造は、その押圧部が前記弾性アームの前記ＬＡＮポートに離間する方向の一端に設けられ、前記当接部の一端が前記弾性アームに弾性的に接続され、他端が前記ロック部に接続され、前記ＬＡＮコネクタ構造がＬＡＮポートに挿し込まれると、前記弾性アームの一部が前記ＬＡＮポートに露出され、前記弾性アームの押圧部を押圧することでＬＡＮコネクタ構造をＬＡＮポートから引き抜く。
【０００７】
また、前記係合構造は、前記押圧部に対応する開口をさらに有し、前記開口は前記抜き防止部と前記ロック部との間に設けられるとともに前記押圧部の下に位置され、前記押圧部を下へ移動する時に、開口内に受容することができる。また、前記抜き防止部は、当接部の上方に設けられた突起部をさらに含み、前記ＬＡＮコネクタ構造がＬＡＮポートに差し込まれ、前記弾性アームを押圧して前記ＬＡＮコネクタ構造をＬＡＮポートから抜こうとすると、該突起部がＬＡＮポート内の天井部に接触し、前記抜き防止部が持ち上げられる角度が大きくなりすぎることを避けられるとともに、ＬＡＮコネクタ構造をＬＡＮポートから抜くことができる。
【０００８】
本考案のＬＡＮコネクタ構造は、その係合構造のロック部は、２枚の側板と、１枚の横板と、２つのＬ字部と、２つのストッパとをさらに含み、前記横板がこれらの側板の間に設けられるとともにこれらの側板に接続され、前記横板とこれらの側板とが全体に門字状になり、前記横板が前記抜き防止部に接続され、これらのＬ字部がこれらの側板に接続され、これらのＬ字部とこれらのストッパとで前記係合構造を前記コネクタ本体に係合し、前記係合構造を前記コネクタ本体に着脱可能に固定させる。
【０００９】
更に説明すると、前記コネクタ本体は、凸部と、ストッパ部と、鈎部とをさらに含み、前記凸部は前記コネクタ本体の先端に設けられ、前記ストッパ部と前記鈎部とが前記コネクタ本体に設けられる。当該係合構造が前記コネクタ本体に係合する時に、前記係合構造のストッパが前記コネクタ本体のストッパ部に当接し、前記係合構造のＬ字部が前記コネクタ本体の鈎部に係止され、前記係合構造と前記コネクタ本体とを固定する。言い換えれば、当該係合構造が前記コネクタ本体に係合され、前記コネクタ本体の凸部が前記係合構造の当接部を当接し、前記コネクタ本体のストッパ部が前記係合構造のストッパを受け止る。本考案は部分構造の改良によって、前記係合構造と前記コネクタ本体との着脱を容易にし、組み立てるとき両者間の位置を確実に固定することができる。
【００１０】
本考案の説明及びその他の目的、特徴、利点をより理解し易くするために、添付図面を参照しながら実施例により詳細に説明する。
【図面の簡単な説明】
【００１１】
【図１】従来技術のＬＡＮコネクタ構造及びそれに対応するＬＡＮポートの斜視図である。
【図２】本考案に係るＬＡＮコネクタ構造及びそれに対応するＬＡＮポートの斜視図である。
【図３】本考案に係るＬＡＮコネクタ構造及びそれに対応するＬＡＮポートの組み立て後の斜視図である。
【図４】本考案に係るＬＡＮコネクタ構造及びその係合構造の分解斜視図である。
【図５】本考案に係るＬＡＮコネクタ構造及びその係合構造の断面図である。
【図６】本考案に係るＬＡＮコネクタ構造及びその係合構造の上面図である。
【考案を実施するための形態】
【００１２】
図２及び図３は、本考案に係るＬＡＮコネクタ構造及びそれに対応するＬＡＮポートの図である。図２及び図３に示すように、本考案のＬＡＮコネクタ構造は、少なくとも、コネクタ本体１０と、係合構造２０とを含む。本体１０に１本のケーブルが接続され、係合構造２０は、コネクタ本体１０に着脱可能に係合され、コネクタ本体１０がＬＡＮポート３００の差込口３１０に挿し込まれる。
【００１３】
図４及び図５は、本考案に係るＬＡＮコネクタ構造の分解図と断面図である。図４及び図５に示すように、係合構造２０は、抜き防止部２１と、ロック部２２とを含む。抜き防止部２１の先端は当接部２１１であってかつ弾性アーム２１２が接続され、弾性アーム２１２の当接部２１１との逆方向の一端が押圧部２１３であり、ロック部２２は実際に使用する時に門字状構造であってよいし、または、製品の実際要求に応じてその外観構造を改良してもよい。
【００１４】
なお、ＬＡＮコネクタ構造がＬＡＮポート３００に挿し込まれると、係合構造２０の抜き防止部２１はＬＡＮポート３００の差込口３１０に埋設され、当接部２１１の当接面２１５は、ＬＡＮポート３００の凸起３１１に当接することで、ＬＡＮコネクタ構造をＬＡＮポートから抜くことができないようになっており、図６は、本考案に係るＬＡＮコネクタ構造及びその係合構造の上面図である。
【００１５】
本考案のＬＡＮコネクタ構造の係合構造２０は、その押圧部２１３が該弾性アーム２１２のＬＡＮポート３００に離間する方向の一端に設けられ、当接部２１１の一端が弾性アーム２１２に弾性的に接続され、他端がロック部２２に接続され、ＬＡＮコネクタ構造がＬＡＮポート３００に挿し込まれると、弾性アーム２１２の一部がＬＡＮポート３００に露出され、弾性アーム２１２の押圧部２１３を押圧することでＬＡＮコネクタ構造をＬＡＮポートから引き抜く。
【００１６】
また、係合構造２０は、押圧部２１３に対応する開口２３を、さらに有し、開口２３は抜き防止部２１とロック部２２との間に設けられるとともに押圧部２１３の下に位置され、弾性アーム２１２の押圧部２１３を押圧してＬＡＮコネクタ構造をＬＡＮポートから抜こうとすると、弾性アーム２１２の押圧部２１３が開口２３に受容され、押圧部２１３の移動範囲が大きくなり、ＬＡＮコネクタ構造をより抜き易くなる。
また、抜き防止部２１は、当接部２１１の上方に設けられた突起部２１４をさらに含み、該ＬＡＮコネクタ構造がＬＡＮポートに差し込まれ、前記弾性アームを押圧してＬＡＮコネクタ構造をＬＡＮポートから抜こうとすると、突起２１４がＬＡＮポート３００内の天井部に接触し、抜き防止部２１が持ち上げられる角度が大きくなりすぎることを避けられる。
【００１７】
本考案のＬＡＮコネクタ構造では、その係合構造２０のロック部２２は、２枚の側板２２２と、１枚の横板２２１と、２つのＬ字部２２３と、２つのストッパ２２４とをさらに含み、横板２２１がこれらの側板２２２の間に設けられるとともにこれらの側板２２２を接続し、本実施例では、ロック部２２の横板２２１とこれらの側板２２２とは門字状構造であってよい。
横板２２１が抜き防止部２１に接続され、これらのＬ字部がこれらの側板２２２のケーブル寄り側の一端に接続され、これらのストッパがこれらの側板２２２のケーブルに離間する他端に接続され、これらのＬ字部２２３とこれらのストッパ２２４とで係合構造２０をコネクタ本体１０に係合し、係合構造２０をコネクタ本体１０に着脱可能または固定係合させる。
【００１８】
更に説明すると、コネクタ本体１０は、凸部１１と、ストッパ部１２と、鈎部１３とを含み、凸部１１はコネクタ本体１０の差込口３１０に向かう端に設けられ、ストッパ部１２と鈎部１３とがコネクタ本体１０に設けられている。係合構造２０がコネクタ本体２０に係合される際に、係合構造２０のストッパ２２４がコネクタ本体１０のストッパ部１２に当接し、係合構造２０のＬ字部２２３がコネクタ本体１０の鈎部１３に係止され、係合構造２０とコネクタ本体２０とを固定する。
他の実施例を挙げると、係合構造２０がコネクタ本体１０に係合されるとき、コネクタ本体１０の凸部１１が係合構造２０の当接部２１１に当接し、コネクタ本体１０のストッパ部１２が係合構造２０のストッパ２２４を受け止める。
【００１９】
本考案は、構造全体の改良によって、組み立てるとき両者間の位置を確実に固定することができるとともに、ＬＡＮコネクタ構造を係合構造２０とコネクタ本体１０に細かく分けられ、実際に使用するとき、着脱容易になり、ＬＡＮコネクタ構造を切り替えるときにも係合構造２０の部分のみを交換すればよいので、本考案のＬＡＮコネクタ構造は、コスト削減、着脱便利という複数の効果を確かに備える。
【００２０】
また、実際に使用する時、係合構造２０は、さらに、異なる使用状況に応じて平板部材を増設してもよく、抜き防止部２１が該平板部材に設けられ、弾性アーム２１２が平板部材に接続しＬＡＮポート３００に離間する方向に延出され、実際の運用要求に応じて該弾性アーム２１２の長さを改良することができる。
【００２１】
上記実施例では、本考案の係合構造２０がコネクタ本体１０に着脱可能に装着される。
【００２２】
以上のように、本考案は、実施態様で開示されたが、これは本考案を限定するものではなく、本考案の精神及び範囲から逸脱しない限り、いずれの当該技術を熟知する当業者なら誰でも、多様な変動や修正を加えることができ、従って、本考案の保護範囲は、後記する請求の範囲によって限定されることに従うべきである。
【符号の説明】
【００２３】
１０    コネクタ本体
１１    凸部
１２    ストッパ部
１３    鈎部
２０    係合構造
２１    抜き防止部
２２    ロック部
２３    開口
２１１  当接部
２１２  弾性アーム
２１３  押圧部
２１４  突起
２１５  当接面
２２１  横板
２２２  側板
２２３  Ｌ字部
２２４  ストッパ
３００  ＬＡＮポート
３１０  差込口
３１１  凸起
４０    従来技術のＬＡＮコネクタ構造
【図１】
0003197034.tif 000003
【図２】
0003197034.tif 000004
【図３】
0003197034.tif 000005
【図４】
0003197034.tif 000006
【図５】
0003197034.tif 000007
【図６】
0003197034.tif 000008